(57)【要約】【課題】車椅子等に着座した状態で操作する操作者が、読み取る原稿を容易にかつ正確に原稿の位置合わせをするための基準位置に載置することを可能とした画像形成装置を提供する。【解決手段】原稿台ガラス８を覆う原稿台カバー６は、後方の縁辺に沿った水平軸回りに回動するように取り付けられ、前方を操作者が持上げることにより原稿台ガラス８の上面を開放し、その開閉角度は操作者の原稿台カバー６の持上げる角度に応じるとともに、その開閉角度が保たれた状態を維持できるように構成されている。この開閉角度が自在に調整される原稿台カバー６の下面の所定位置にミラー１０を貼りつけることにより、原稿台ガラス８上の原稿の位置合わせをするための基準位置９がミラー像を介して装置前方にいる車椅子等に着座した操作者から見えるため、容易にかつ正確に原稿を原稿合わせ基準位置９に合わせることができ、車椅子使用者にとって操作が容易となる。【選択図】    図２
2004184798.tif 000002
【特許請求の範囲】
【請求項１】
読み取る原稿が載置される原稿台ガラスを最上段に備え、  該原稿台ガラスを覆う原稿台カバーを有する画像形成装置であって、
前記原稿台カバーは、水平な軸回りに回動し前方側が上方に移動することにより開閉が可能であり、
前記原稿台カバーの下面に、原稿台ガラス上に載置した原稿の反射像が操作者から見えるように、ミラーを取り付けたことを特徴とする画像形成装置。
【請求項２】
前記ミラーは、原稿台ガラス上の原稿の位置合わせをするための基準位置が装置前方にいる操作者から見えるように、原稿台カバーの所定部分に取り付けられていることを特徴とする請求項１に記載の画像形成装置。
【請求項３】
前記ミラーは、原稿台ガラス上の領域を除いた部分に取り付けられていることを特徴とする請求項１に記載の画像形成装置。
【発明の詳細な説明】
【０００１】
【発明の属する技術分野】
本願発明は、電子写真複写機、ファクシミリ等の画像形成装置に係り、より詳細には、床面で立った状態で操作する場合だけでなく車椅子等に着座した状態でも原稿を容易にかつ正確な位置に載置することを可能とした画像形成装置に関する。
【０００２】
【従来の技術】
現在、一般的に使用されている電子写真複写機、ファクシミリ等の画像形成装置では、原稿台が最上段に設けられており、床面で立った状態で操作する健常者の操作性の観点から、原稿を載置する原稿台の高さは床面から約１０００ｍｍ程度となっている。
この場合、車椅子に着座した状態で画像形成装置の操作を余儀なくされる車椅子使用者の視線は、原稿台と同じ位の高さに位置することになり、装置前方にいる車椅子使用者は、原稿を基準位置に正確に載置するため、及び原稿の載置状態を確認するために車椅子から身を乗り出す必要があり、その動作は困難である。
【０００３】
このため、健常者だけでなく車椅子使用者が、原稿を基準位置に正確に載置したり、載置状態を容易に視認できるように、操作者の視線の位置に応じて高さを変更できる画像形成装置が提案されている。この画像形成装置においては、装置の主要部が昇降装置によって昇降可能となっており、個人別コードの入力により各操作者の視線の位置に応じて画像形成装置の高さが調整される。
したがって、健常者だけでなく車椅子使用者も複雑な高さの調節を行なうことなく同一の画像形成装置を適切な状態で使用することができる。
【０００４】
【特許文献１】特開平８−１０６２４０号公報
【０００５】
【発明が解決しようとする課題】
しかしながら、上記従来技術には次のような問題点がある。
すなわち、上記特開平８−１０６２４０号公報に係る画像形成装置は、個人別コードを入力する装置や画像形成装置本体を上下させる昇降装置を備えなければならず、現在実際に使用されている画像形成装置にこのような機能を付加することは困難であり価格が高くなるのは必至である。また、健常者の使用には全く差し障りのない画像形成装置があるにもかかわらず車椅子使用者の便宜を図るために新しい画像形成装置を購入する必要が生じる。
一方、装置の構造上の観点から昇降装置を装備する必要性より、画像記録用紙を格納する用紙トレイの設置場所が充分にとれないという問題点も有する。
【０００６】
本願発明は、上記のような問題点に鑑みてなされたものであり、その目的は、床面に立った状態で操作する健常者のみならず車椅子に着座したまま画像形成装置を操作する必要のある車椅子使用者も、車椅子から身を乗り出すことなく容易にまた正確に操作できる画像形成装置を提供することである。
【０００７】
【課題を解決するための手段】
上記の課題を解決するために、請求項１に係る発明は、  読み取る原稿が載置される原稿台ガラスを最上段に備え、該原稿台ガラスを覆う原稿台カバーを有する画像形成装置であって、  前記原稿台カバーは、水平な軸回りに回動し前方側が上方に移動することにより開閉が可能であり、  前記原稿台カバーの下面に、原稿台ガラス上に載置した原稿の反射像が操作者から見えるように、ミラーを取り付けたことを特徴とする画像形成装置を提供する。
【０００８】
上記画像形成装置によれば、装置前方にいる操作者は目の位置が低くても、原稿台カバーを開けたときにその下面のミラーに反射した像を容易に見ることができる。
したがって、視線の位置が原稿台ガラスの床面からの高さと同じ位の位置もしくは低い位置にある車椅子使用者であっても、水平な軸回りに回動する原稿台カバーの開度を自己の視線位置に応じて調節することにより、原稿台ガラス上の原稿の位置合わせの基準位置を反射像として見ることができる。これにより、原稿の位置合わせ基準位置が装置後方、つまり原稿台ガラスの奥まった所に有る場合であっても容易にかつ正確に原稿を基準位置に載置することができる。
【０００９】
請求項２に係る発明は、請求項１に係る画像形成装置において、  前記ミラーは、原稿台ガラス上の原稿の位置合わせをするための基準位置が装置前方にいる操作者から見えるように、原稿台カバーの所定部分に取り付けられているものとする。
【００１０】
原稿台カバーは、水平な軸回りに回動し、操作者が自由にその開閉角度を調節できる。そして、ミラーは、原稿台カバーの所定部分に限定して取り付けるだけでも原稿台カバーとともにミラーの角度を自由に換えることによって操作者が広い範囲を視認することができる。したがって、ミラーに反射した像として原稿の位置合わせを行なう基準位置を正確に見ることができ、原稿を正確な位置に容易に載置することができるとともに原稿の載置状態を視認することができる。
【００１１】
請求項３に係る発明は、請求項１に係る画像形成装置において、  前記ミラーは、原稿台ガラス上の領域を除いた部分に取り付けられているものとする。
【００１２】
原稿台カバーは原稿台ガラスとその周囲を覆うように構成されており、原稿台ガラス上の部分には、原稿台ガラスを傷つけないように緩衝材等が取り付けられることが多い。本請求項に係る画像形成装置では、ミラーが原稿台ガラス上以外の部分に取り付けられているのでミラーと原稿台ガラスが直接接触するのが回避され、双方が傷つくのを防ぐことができる。そして、このようにミラーの位置が限定されても装置前方にいる操作者は原稿台カバーの開閉角度を調整して、原稿台ガラス上の原稿の位置合わせをする基準位置を見ることができる。
【００１３】
また、原稿台ガラスを覆う部分を除いた領域にミラーを取り付けることにより、原稿読み取り時に原稿台ガラスの下を走査する原稿照射ランプの光が直接ミラーに反射するのを避けることができ、原稿の読み取りに何ら影響を与えることがない。
【００１４】
【発明の実施の形態】
以下、本願に係る発明の実施の形態を図に基づいて説明する。
図１は、本願に係る発明の一実施形態である画像形成装置を示す概略構成図である。
この画像形成装置１は、上部に画像読み取り装置２、その下にトナー像形成部３、さらに、その下部には画像記録用紙を格納する用紙トレイ４が装備されている。
【００１５】
上記画像読み取り装置は、図２に示すように上面に原稿台ガラス８が設けられ、この原稿台ガラス８を開閉可能に覆う原稿台カバー６が備えられている。そして、この原稿台カバー６の下面にミラー１０が取り付けられている。
【００１６】
上記原稿台ガラス８は、ほぼ水平に支持された透明なガラスであり、この上に読み取とろうとする原稿を載置し、下方から露光して反射光を光センサで読み取るようになっている。原稿は、この原稿台ガラス８の後方隅角部を基準位置９として載置するものとなっており、この基準位置に合わせて原稿を載置することにより、原稿面の正確な読み取りが行われる。なお、この原稿台ガラス８の上面の高さは、床面から約１００ｃｍである。
【００１７】
上記原稿台カバー６は、後方の縁辺に沿った水平軸回りに回動するように取り付けられ、前方側を操作者が持ち上げることにより、原稿台ガラス８の上面を開放することができるようになっている。そして、開閉角度は操作者の原稿台カバー６の持上げ方により調整され、いずれの開閉角度によっても当該角度が保たれた状態を維持できるように構成されている。
【００１８】
上記原稿台カバー６は、原稿台ガラス８とその周辺部とを覆うように寸法が設定されており、下面の原稿台ガラス８上に相当する部分６ａには、原稿台ガラス８を保護するために緩衝材が張り付けられている。そして、上記ミラー１０は、緩衝材が貼り付けられていない部分、つまり原稿台ガラス上の領域外６ｂに取り付けられている。
【００１９】
ミラー１０の取り付け位置は、図２に示すように原稿の位置を合わせる基準位置９に対応しており、本実施形態の画像形成装置では、原稿合わせの基準位置９が原稿台ガラス８の最も左奥に設定されているため、ミラー１０の取り付け位置は原稿台カバーの下面の左奥としている。ミラー１０のサイズは、原稿の位置合わせをする基準位置９を映し出すことができる程度の大きさを有していればよい。
【００２０】
上記ミラー１０は、金属やガラスで作成された一般的なものでよいが、アルミニウム、ステンレススチール、クロムメッキされた金属板等の金属製が望ましい。また、ミラー１０は接着剤等により原稿台カバー６の下面の所定位置に貼りつけることができる。
【００２１】
上記のような画像形成装置では、原稿からコピーを取る場合、又は原稿を読み込んでファクシミリによる送信を行う場合、原稿台カバー６を上方に開放して原稿を原稿台ガラス８上に載置する。このとき、操作者が車椅子使用者であり、車椅子に着座した状態で装置を操作しようとすると、目の高さが低いために、原稿台ガラス８の奥側に設けられた位置合わせのための基準位置９を視認することが難しい。しかし、原稿台カバー６の下面に取り付けられたミラー１０は容易に見ることができる。このため、図３に示すように操作者が自己の視線高さに対応させて原稿台カバー６の開閉角度を調整することによって、原稿の位置合わせ行うための基準位置９をミラー１０の反射を介してみることができる。したがって、原稿の載置が容易となるだけではなく、原稿の載置状態もミラー１０に映った像により簡単に確認することができる。
【００２２】
また、原稿台カバー６の下面には、原稿台ガラス８を覆う緩衝材が張り付けてあるが、この領域外６ｂにミラー１０が接着されているため、原稿読み取り時に原稿台ガラス８の下を走査する原稿照射ランプの光（図示せず）が直接ミラー１０で反射するのを避けることができ、原稿読み取りに何ら影響を与えることがない。
【００２３】
さらに、現在使用中の画像形成装置１に対しても、原稿台カバー６にミラー１０を取り付けるだけで本発明の効果を実現できるため、迅速に対応が可能であってコストもほとんどかからないという利点を有する。
【００２４】
図２に示した画像形成装置では、原稿台カバー６の下面における原稿台ガラスを覆う緩衝材が張り付けてある領域外にミラー１０を取り付けているが、ミラー１０の取り付け位置は、図４に示すように原稿台ガラス８を覆う領域６ａの全体に取り付けることもできる。
【００２５】
この画像形成装置では、装置前方にいる操作者が原稿台カバー６の開閉角度を調整することにより、ミラー２０の反射を介して広い範囲を視認することができ、原稿の位置合わせをする基準位置９だけでなく原稿全体の載置状態を見ることができる。そして、より容易にかつ迅速に原稿を基準位置９に合わせることができる。
【００２６】
また、ミラーは、図５に示すように原稿台カバーの下面における原稿台ガラスを覆う領域６ａとこれ以外の領域６ｂとの双方にまたがって取り付けることもできる。  このようにミラー３０を取り付けることにより、原稿合わせをする基準位置９及び原稿台ガラス８の端縁に沿った範囲を視認し易くなり、限定された範囲にミラーを設けても原稿合わせの基準位置９を適切に視認することができ、操作性を向上させることができる。また、コストを低く抑えることができる。
【００２７】
【発明の効果】
以上説明したように、本願発明に係る画像形成装置では、健常者のみでなく車椅子使用者などの健常者に比して視線が低いところにある操作者にとっても、車椅子等から身を乗り出すことなく、ミラーの反射により映し出された基準位置を見ることができる。これにより原稿を原稿台ガラス上の所定位置に容易に載置することができる。さらに、ミラーを原稿台カバーの下面の所定位置にとりつけるだけで、良好な操作性が実現でき、コストも低廉に抑えることができる。
【図面の簡単な説明】
【図１】本願に係る発明の一実施形態である画像形成装置の概略構成図である。
【図２】図１に示す画像形成装置の原稿台ガラス及び原稿台カバーを示す概略斜視図である。
【図３】図１に示す画像形成装置を、車椅子使用者が操作する状態を示す概略図である。
【図４】本願発明の他の実施形態である画像形成装置の原稿台ガラス及び原稿台カバーを示す概略斜視図である。
【図５】本願発明の他の実施形態である画像形成装置の原稿台ガラス及び原稿台カバーを示す概略斜視図である。
【符号の説明】
１    画像形成装置
２    画像読み取り装置
３    トナー像形成部
４    用紙トレイ
６    原稿台カバー
６ａ  原稿台カバー下面の原稿台ガラスを覆う部分
６ｂ  原稿台カバー下面の原稿台ガラス上の領域外
７    操作パネル
８    原稿台ガラス
９    原稿の位置合わせをするための基準位置
１０、２０、３０    ミラー
【図１】
2004184798.tif 000003
【図２】
2004184798.tif 000004
【図３】
2004184798.tif 000005
【図４】
2004184798.tif 000006
【図５】
2004184798.tif 000007